(57)【要約】      （修正有）【課題】車両の状態に配慮した運転支援が可能となり、ヒューマン・マシン・インターフェイスを向上させることが可能な車両用情報提供装置を提供する。【解決手段】車両の各種状態を表示する情報表示部２０４と、この情報表示部２０４の制御を行う制御手段とを備え、制御手段は、車両の自動運転が開始したことを示す自動運転作動信号を検出すると、多重通信入出力端子を介して自動運転関連情報を取得するとともに、情報表示部２０４に表示される表示情報を車両の自動運転と関連のない非自動運転関連情報（所定情報）から自動運転関連情報（作動状態情報３７０）へと置き換えるべく、情報表示部２０４の制御を行うものである。【選択図】図６
2018192924.tif 000002
【特許請求の範囲】
【請求項１】
車両の各種状態を少なくとも表示する情報表示部と、前記情報表示部の制御を行う制御手段とを備え、
前記制御手段は、前記車両の自動運転が開始したことを示す自動運転作動信号を検出すると、車両情報入力手段と多重通信入出力手段とのうち少なくとも一方を介して前記車両の自動運転に関連する自動運転関連情報を取得するとともに、
前記情報表示部に表示される表示情報を前記車両の自動運転と関連のない非自動運転関連情報から前記自動運転関連情報へと置き換えるべく、前記情報表示部の制御を行うことを特徴とする車両用情報提供装置。
【請求項２】
前記制御手段は、前記車両の自動運転が解除されたことを示す自動運転解除信号を検出したとしても、前記自動運転関連情報の前記情報表示部での表示が維持されるように前記情報表示部の制御を行うことを特徴とする請求項１記載の車両用情報提供装置。
【請求項３】
前記制御手段は、前記車両の自動運転が解除されたことを示す自動運転解除信号を検出すると、前記情報表示部に表示されている前記自動運転関連情報を前記非自動運転関連情報へと置き換えるべく、前記情報表示部の制御を行うことを特徴とする請求項１記載の車両用情報提供装置。
【発明の詳細な説明】
【技術分野】
【０００１】
本発明は、車両の利用者に各種情報を提供する車両用情報提供装置に関し、特に車両のアダプティブ・クルーズ・コントロール（ＡＣＣ）等の自動運転を支援することが可能な車両情報提供装置に関するものである。
【背景技術】
【０００２】
従来より、この種の車両用情報提供装置にあっては、例えば下記特許文献１に記載されているものが知られている。この特許文献１に記載の車両用情報提供装置は、車両の各種状態を車両状態情報として表示する液晶表示パネルからなる情報表示部と、この情報表示部の表示制御を行うマイクロコンピュータからなる制御手段とを備え、制御手段は、情報表示部を視認する視認者側とは反対側となる情報表示部の背後側（反視認者側）に位置する回路基板に実装される。この場合、情報表示部には、車速やエンジン回転数、残燃料、燃費、外気温、時刻等をはじめとする各種車両情報が表示される。
【先行技術文献】
【特許文献】
【０００３】
【特許文献１】特開２０１４−７４８２１号公報
【発明の概要】
【発明が解決しようとする課題】
【０００４】
ところで、近年、車両を自動運転させるための自動運転機能付き車両の実現化に向けた動きが高まりつつある。このような自動運転機能付き車両を想定した場合、自動運転機能が実行された条件下においては、上述した特許文献１に記載の情報表示部に前記各種車両情報だけではなく、自動運転に関する自動運転関連情報をも表示させ、自動運転機能付き車両を運転する利用者に前記各種車両情報と自動運転関連情報を提供する必要がある。
【０００５】
しかしながら、特許文献１の車両用情報提供装置では、自動運転機能が実行された際に自動運転関連情報を表示するような構成は想定されていないため、当然のことながら自動運転関連情報を表示する場合の情報表示部の表示形態（表示レイアウト）については検討されていない。
【０００６】
さらには、自動運転機能付き車両の場合、利用者は車両の状態を自動運転状態とするか手動運転状態とするかを適宜選択可能であり、常に、自動運転関連情報が車両用情報提供装置（前記制御手段）に入力されているとは限らないため、自動運転関連情報の車両用情報提供装置（前記制御手段）への入力の有無に応じて、情報表示部の表示形態（表示レイアウト）を調整する必要があり、車両の状態に配慮した運転支援を行う必要がある点で改良の余地が残されていた。
そこで、本発明は前述した改善点に着目し、車両の状態に配慮した運転支援が可能となり、ヒューマン・マシン・インターフェイスを向上させることが可能な車両用情報提供装置の提供を目的とするものである。
【課題を解決するための手段】
【０００７】
本発明は、車両の各種状態を少なくとも表示する情報表示部と、前記情報表示部の制御を行う制御手段とを備え、前記制御手段は、前記車両の自動運転が開始したことを示す自動運転作動信号を検出すると、車両情報入力手段と多重通信入出力手段とのうち少なくとも一方を介して前記車両の自動運転に関連する自動運転関連情報を取得するとともに、前記情報表示部に表示される表示情報を前記車両の自動運転と関連のない非自動運転関連情報から前記自動運転関連情報へと置き換えるべく、前記情報表示部の制御を行うことを特徴とする。
【０００８】
また本発明は、前記制御手段は、前記車両の自動運転が解除されたことを示す自動運転解除信号を検出したとしても、前記自動運転関連情報の前記情報表示部での表示が維持されるように前記情報表示部の制御を行うことを特徴とする。
【０００９】
また本発明は、前記制御手段は、前記車両の自動運転が解除されたことを示す自動運転解除信号を検出すると、前記情報表示部に表示されている前記自動運転関連情報を前記非自動運転関連情報へと置き換えるべく、前記情報表示部の制御を行うことを特徴とする。
【発明の効果】
【００１０】
本発明は、車両の状態に配慮した運転支援が可能となり、ヒューマン・マシン・インターフェイスを向上させることが可能な車両用情報提供装置を提供できる。
【図面の簡単な説明】
【００１１】
【図１】本発明の第１実施形態による車両用情報提供装置と各種電装品との接続状態を示すブロック図。
【図２】同実施形態による車両用情報提供装置を示す概略図。
【図３】同実施形態による車両用情報提供装置のブロック図。
【図４】同実施形態による運転モードに応じた自動運転関連情報の取得状態と情報表示部の画面遷移状態とを示すタイミングチャート。
【図５】同実施形態による時刻Ｔ１での情報表示部を示す図。
【図６】同実施形態による時刻Ｔ２での情報表示部を示す図。
【図７】同実施形態による時刻Ｔ３での情報表示部を示す図。
【図８】本発明の第２実施形態による運転モードに応じた自動運転関連情報の取得状態と情報表示部の画面遷移状態とを示すタイミングチャート。
【図９】同第２実施形態による時刻Ｓ３での情報表示部を示す図。
【発明を実施するための形態】
【００１２】
（第１実施形態）以下、図１〜図７に基づいて、本発明の第１実施形態を説明する。
【００１３】
図１は、本発明の一実施形態を示すブロック図であり、図１中、１００は車両を示している。また１０１は車両用情報提供装置であり、ここでは車両用情報提供装置１０１は、車両に搭載された車両用計器とする。
【００１４】
車両用情報提供装置１０１は、車内に構築される伝送媒体としての車内ＬＡＮ（多重通信ライン）１０２を介して、走行制御手段１０３と、車両の走行時に目的地への経路案内を行う機能を持つナビゲーション制御手段１０４とに接続されている。
【００１５】
また、図１中、周辺監視手段１０５は、自車両の周辺に存在する障害物を監視、検出する装置である。具体的には、周辺監視手段１０５は、カメラ、レーザー、ミリ波等を利用して、自車両の前方、後方、左側方、右側方の障害物を監視、検出を行うものである。各種アクチュエータ１０６は、自車両の制動を制御するためのブレーキアクチュエータ、自車両の操舵方向を制御するための操舵用電動アクチュエータ等で構成される。
【００１６】
走行制御手段１０３は、後述する操作手段からのＡＤＡＳ機能の１つであるＡＣＣ（アダプティブ・クルーズ・コントロール）機能のオン情報を入手（取得）すると、周辺監視手段１０５と各種アクチュエータ１０６を用いて、自車両と当該自車両の前方を走行している先行車との間の車間距離を維持しながら走行するための制御や自動ブレーキ制御等を行う。また、詳細は後述するが、走行制御手段１０３は、自動運転（ここではＡＣＣとする）に関する情報を出力するものとする。なお、ＡＣＣは、ＳＩＰ（戦略的イノベーション創造プログラム）でレベル１に位置づけられる自動運転である。
【００１７】
図２は、車両の運転席に着座する車両の利用者（運転者）側から、車両用情報提供装置１０１を見たときの概略図を示しており、車両用情報提供装置１０１は、車両の各種状態を少なくとも表示する計器用ディスプレイとしての後述する情報表示部２０４を備えている。
【００１８】
図３は、車両用情報提供装置１０１のブロック図を示している。車両用情報提供装置１０１は、車両の各種状態に関する各情報（車両状態信号）の入出力を行う車両情報端子（車両情報入力手段）２１０及び多重通信入出力端子（多重通信入出力手段）２１１と、所定の操作手段２１３からの操作指示信号を入力可能な操作情報端子２１２と、車両インターフェース（車両Ｉ／Ｆ）手段２０１と、車両用情報提供装置１０１の制御を行う例えばマイクロコンピュータからなる制御手段２０２と、制御手段２０２の処理プログラムが格納されるフラッシュメモリやＥＥＰＲＯＭ等の不揮発性メモリからなる記憶手段２０３と、車両の利用者へ各種情報（車両の各種状態）を視覚的に報知する情報表示部２０４と車両の利用者へ各種情報（車両の各種状態）を聴覚的に報知する聴覚情報提供手段２０５とからなる報知手段２０６と、制御手段２０２の出力側に接続され、制御手段２０２からの指令信号に基づいて情報表示部２０４に対し表示駆動信号を出力する駆動手段２０７とを有している。
【００１９】
聴覚情報提供手段２０５は、制御手段２０２の出力側に接続された音／音声合成手段２２１と、この音／音声合成手段２２１からの出力信号（音／音声出力信号）を増幅するアンプ２２２と、このアンプ２２２からの増幅信号を出力するスピーカ等の発音体２２３とを備えている。ここで、発音体２２３は、車両が自動二輪車である場合に、当該自動二輪車に搭乗する搭乗者（利用者）が装着するヘルメットに収められたヘルメットスピーカであってもよい。
【００２０】
また、操作手段２１３は、車両の自動走行に関する各種操作を行うための操作入力部からなり、例えばステアリングに設置されたカーソルボタンや決定ボタン等を含む略十字キー型の操作入力部を適用でき、車両の利用者が操作手段２１３を操作することにより操作手段２１３から出力される操作指示信号は、操作情報端子２１２並びに車両インターフェース手段２０１を通じて制御手段２０２へと入力される。そして、この操作指示信号は、車内ＬＡＮ１０２を介して走行制御手段１０３へも入力される。なお、操作手段２１３は、上述した十字キー型の操作入力部に代えてタッチパネル型の操作入力部を適用することも可能である。
【００２１】
次に、図４〜図７を用いて、車両の自動運転に関連する自動運転関連情報や車両の自動運転と関連のない非自動運転関連情報を情報表示部２０４に表示させる際の制御手段２０２の処理動作について説明する。
【００２２】
制御手段２０２は、図４に示す時刻Ｔ１において、車両の利用者が操作手段２１３（例えば操作手段２１３に備えられる図示しない自動運転作動スイッチ）をオン操作したことにより操作手段２１３から出力される操作指示信号（つまり後述する自動運転作動信号）は何ら受信（取得）していないものとする。
【００２３】
換言すれば、制御手段２０２は、多重通信入出力端子２１１（あるいは車両情報端子２１０）を介して車両状態信号として、後述する所定情報に対応した第１状態信号と走行制御手段１０３からの自動運転停止信号（自動運転制御が作動していないことを示す信号）とを受信（取得）する。
【００２４】
すると、制御手段２０２による制御のもと、情報表示部２０４には図５に示すような第１の表示モード（手動運転モード）Ｍ１に対応する表示情報（手動運転画面）が表示される。
【００２５】
ここで、自動運転関連情報が一切表示されない第１の表示モードＭ１において、制御手段２０２による制御のもと、情報表示部２０４には、車両状態情報として、車両の走行速度をアナログ的に表示する指針式車速表示部３００、車両のエンジン回転数をアナログ的に表示する指針式回転数表示部３１０、燃料の残量をアナログ的に表示する指針式燃料残量表示部３２０、シフトポジションを表示するシフトポジション表示部３３０、車両の進行方向を示す方向指示表示部３４０、車両の平均燃費を表示する燃費表示部３５０、車両外部の気温を表示する外気温表示部３６０が表示される。
【００２６】
そして、この第１の表示モードＭ１において、情報表示部２０４に表示される指針式車速表示部３００と指針式回転数表示部３１０と指針式燃料残量表示部３２０とシフトポジション表示部３３０と方向指示表示部３４０と燃費表示部３５０と外気温表示部３６０とでなる所定情報Ｄ１としての７つの情報は、情報表示部２０４に備えられる区分けされていない単一の表示領域Ｒ１に表示される。つまり、本例の場合、情報表示部２０４は、車両状態情報のうち所定情報Ｄ１（当該７つの情報）を表示する表示領域Ｒ１を備えた構成となっている。なお、この所定情報Ｄ１は、後述する特許請求の範囲の請求項１に記載されている（車両の自動運転と関連のない）非自動運転関連情報に相当する。
【００２７】
次に、制御手段２０２は、図４に示す時刻Ｔ２において、車両の利用者が操作手段２１３（例えば前記自動運転作動スイッチ）をオン操作したことにより操作手段２１３から出力される操作指示信号（つまり前記自動運転作動信号）を受信（取得）する。この自動運転作動信号は、車内ＬＡＮ１０２を介して走行制御手段１０３へと伝送され、走行制御手段１０３による制御のもと、車両の自動運転制御が開始される。
【００２８】
そして、このように自動運転制御が開始されると、制御手段２０２は、多重通信入出力端子２１１（あるいは車両情報端子２１０）を介して車両状態信号として、前記第１状態信号と走行制御手段１０３からの自動運転関連情報（ここでは自動運転制御が作動していることを示す自動運転作動信号とする）とを受信（検出）する。ここで、本例の場合、当該自動運転関連情報は、所定情報Ｄ１とは異なる車両状態情報の他の情報Ｄ２として構成されているものとする。
【００２９】
すると、制御手段２０２は、上記のように自動運転制御が停止している自動運転停止状態から自動運転制御が作動している自動運転作動状態へと変化することに伴い、情報表示部２０４が表示領域Ｒ１を縮小した小領域Ｒ２と当該小領域Ｒ２を除いた残余領域Ｒ３とに分割されるように情報表示部２０４の表示領域分割処理を実行する（図６参照）。なお、当該表示領域分割処理が実行された状態の情報表示部２０４の表示形態を第２の表示モード（自動運転モード）Ｍ２と定義する。
【００３０】
そして、この第２の表示モードＭ２（表示領域分割処理）の実行時においては、情報表示部２０４は、区分けされた小領域Ｒ２、残余領域Ｒ３を有している。ここで、小領域Ｒ２は情報表示部２０４の下側に位置し、残余領域Ｒ３は情報表示部２０４の上側に位置しており、小領域Ｒ２と残余領域Ｒ３の大小関係については、小領域Ｒ２よりも残余領域Ｒ３の方が大きくなっている。
【００３１】
そして、制御手段２０２は、第２の表示モードＭ２（表示領域分割処理の実行時）において、小領域Ｒ２には所定情報Ｄ１の一部が簡略化情報として表示されるとともに残余領域Ｒ３には所定情報Ｄ１とは異なる車両状態情報の他の情報Ｄ２である自動運転関連情報が表示されるように情報表示部２０４の制御を行う。
【００３２】
具体的には、第２の表示モードＭ２では、制御手段２０２による制御のもと、第１の表示モードＭ１において、情報表示部２０４の表示領域Ｒ１に表示されていた前記７つの情報（所定情報Ｄ１）のうちの一部の情報（指針式車速表示部３００をデジタル式に置き換えたデジタル式車速表示部３０１）と、車両の自動運転制御が作動していることを示すメッセージ表示４００とが小領域Ｒ２に表示される。メッセージ表示４００は、例えば「自動運転中」なる文字表示を適用することができる。
【００３３】
なお、第２の表示モードＭ２において、第１の表示モードＭ１のとき表示領域Ｒ１に表示されていた指針式回転数表示部３１０と指針式燃料残量表示部３２０とシフトポジション表示部３３０と方向指示表示部３４０と燃費表示部３５０と外気温表示部３６０は非表示状態となる。
【００３４】
また、このとき、制御手段２０２による制御のもと、第２の表示モードＭ２での残余領域Ｒ３に表示される自動運転関連情報（他の情報Ｄ２）は、車両の自動運転制御が作動していることを示す作動状態情報３７０と、車両走行時に目的地までの経路を案内するために表示される経路案内情報としてのナビゲーション情報（地図画像）３８０とで構成される。
【００３５】
作動状態情報３７０は、残余領域Ｒ３の下方側に表示され、例えば自動運転（ＡＣＣ）が作動中であることを示すＡＣＣ作動中表示３７１と、自車両を模式的に示す自車両マーク３７２と、ＡＣＣの設定車速を示すＡＣＣ車速設定表示３７３と、自車両の前方を走行している先行車を模式的に示す先行車マーク３７４と、自車両が先行車の後方を追従して走行していることを模式的に示す矢印表示３７５とを含むように構成されている。
【００３６】
一方、ナビゲーション情報３８０は、例えば矢印画像３８１と、交差点名画像３８２と、目的地までの所要時間を示す時間画像３８３とを含むように構成されている。
【００３７】
このように本例の場合、制御手段２０２は、車両の自動運転が開始したことを示す前記自動運転作動信号を検出すると、多重通信入出力端子２１１（あるいは車両情報端子２１０）を介して車両の自動運転に関連する自動運転関連情報を取得するとともに、情報表示部２０４に表示される表示情報を前記非自動運転関連情報（所定情報Ｄ１）から自動運転関連情報（例えば作動状態情報３７０やナビゲーション情報３８０）へと置き換えるべく、情報表示部２０４の制御を行うものである。
【００３８】
なお、ナビゲーション情報３８０に地図画像を表示させるにあたって、走行制御手段１０３は、ナビゲーション制御手段１０４に対し、目的地までの地図画像の出力を指示する。そして、ナビゲーション制御手段１０４は、車内ＬＡＮ１０２を介して地図画像を車両用情報提供装置１０１に伝送するものとする。ここで、この地図画像の伝送は、車内ＬＡＮ１０２を用いるものに限定されるものではなく、例えば車両用情報提供装置１０１とナビゲーション制御手段１０４との間に地図画像伝送用の専用の伝送ラインを設けてもよい。
【００３９】
次に、制御手段２０２は、図４に示す時刻Ｔ３において、車両の利用者が操作手段２１３を誤って誤操作したことにより操作手段２１３から出力される操作指示信号としての後述する誤操作情報を受信（取得）する。
【００４０】
また、このとき、制御手段２０２は、多重通信入出力端子２１１（あるいは車両情報端子２１０）を介して車両状態信号として、前記第１状態信号と車両の自動運転制御が解除状態であることを示す前記誤操作情報としての自動運転解除信号とを受信（検出）する。
【００４１】
ここで、例えば車両の利用者がブレーキペダルを踏むか、利用者による操作手段２１３からの前記誤操作情報で自動運転制御をオフ状態（解除状態）とするか、車両の利用者がシートベルトの装着を解除する（外す）か、もしくは車両の利用者がステアリングを操作することを契機として、自動運転制御の作動条件を満たさない場合に、制御手段２０２は前記自動運転解除信号を検出する。以下では、利用者による操作手段２１３からの前記誤操作情報を受けて、制御手段２０２が前記自動運転解除信号を検出する構成を例に挙げて説明する。
【００４２】
つまり、このとき、利用者が操作手段２１３を誤操作したことにより操作手段２１３から出力される前記誤操作情報は、操作情報端子２１２並びに車両インターフェース手段２０１を通じて制御手段２０２へ入力される。そして、制御手段２０２が検出した前記誤操作情報は、車内ＬＡＮ１０２を介して走行制御手段１０３へも入力される。走行制御手段１０３は、この前記誤操作情報を入手（取得）すると、自動運転制御を解除する。
【００４３】
そして、時刻Ｔ３において、制御手段２０２は、前記第１状態信号と前記自動運転解除信号とを受信し、これら前記第１状態信号、前記自動運転解除信号に基づいて、図７に示すような第３の表示モードＭ３（自動運転（解除）モード）に対応する表示情報が情報表示部２０４に表示されるように情報表示部２０４の表示制御を行う。
【００４４】
なお、この第３の表示モードＭ３の実行時において、小領域Ｒ２には、デジタル式車速表示部３０１が第２の表示モードＭ２の場合と同様に表示される。そして、第２の表示モードＭ２のときに小領域Ｒ２に表示されていた上述のメッセージ表示４００は、車両の自動運転制御が解除したことを示す他のメッセージ表示４１０に切り替わる。他のメッセージ表示４１０は、例えば「自動運転解除中」なる文字表示を適用することができる。
【００４５】
また、このとき、制御手段２０２による制御のもと、第３の表示モードＭ３での残余領域Ｒ３に表示される自動運転関連情報（他の情報Ｄ２）は、車両のの自動運転制御が解除中であることを示す他の作動状態情報３９０と、矢印画像３８１と交差点名画像３８２と時間画像３８３とを含むナビゲーション情報３８０とで構成される。第３の表示モードＭ３でのナビゲーション情報３８０の表示形態は、第２の表示モードＭ２の場合と同じである。
【００４６】
他の作動状態情報３９０は、残余領域Ｒ３の下方側に表示され、例えば自車両を模式的に示す自車両マーク３９２と、ＡＣＣの設定車速を示すＡＣＣ車速設定表示３９３と、自車両の前方を走行している先行車を模式的に示す先行車マーク３９４と、自車両が先行車の後方を追従して走行していることを模式的に示す矢印表示３９５とを含むように構成される。ここでは、自動運転制御が解除中であるため、上述したＡＣＣ作動中表示３７１は非表示状態となり、また自車両マーク３９２と先行車マーク３９４と矢印表示３９５は点線表示される。
【００４７】
つまり、本例の場合、制御手段２０２は、車両の自動運転が解除されたことを示す前記自動運転解除信号を検出したとしても、自動運転関連情報（例えばナビゲーション情報３８０や自車両マーク、ＡＣＣ車速設定表示、先行車マーク）の情報表示部２０４での表示が維持されるように情報表示部２０４の制御を行うものである。このように構成することにより、自動運転制御が作動状態から解除状態へと切り替わったとしても、情報表示部２０４の表示内容の変化が極力少なくなることから、利用者に与える表示の違和感を低減することができるという利点がある。
【００４８】
次に、制御手段２０２は、図４に示す時刻Ｔ４において、車両の利用者が操作手段２１３（前記自動運転作動スイッチ）を再度、オン操作したことにより操作手段２１３から出力される操作指示信号（前記自動運転作動信号）を受信する。この自動運転作動信号は、車内ＬＡＮ１０２を介して走行制御手段１０３へと伝送され、走行制御手段１０３による制御のもと、車両の自動運転制御が再度、開始される。
【００４９】
そして、このように自動運転制御が再度、開始されると、制御手段２０２は、多重通信入出力端子２１１（あるいは車両情報端子２１０）を介して車両状態信号として、前記第１状態信号と走行制御手段１０３からの自動運転関連情報（前記自動運転作動信号）とを受信する。
【００５０】
すると、制御手段２０２は、自動運転制御が解除中の状態から自動運転制御が作動している自動運転作動状態へと再度、変化することに伴い、前記表示領域分割処理を実行し、情報表示部２０４には上述した第２の表示モードＭ２（図６）のときと同じ情報が表示される。
【００５１】
つまり、このとき、情報表示部２０４の残余領域Ｒ３には作動状態情報３７０とナビゲーション情報３８０とが表示され、情報表示部２０４の小領域Ｒ２にはデジタル式車速表示部３０１とメッセージ表示４００とが表示される。
【００５２】
次に、制御手段２０２は、図４に示す時刻Ｔ５において、車両の利用者がステアリングを操作したことを示すステアリング操作信号を受信している。また、このとき、制御手段２０２は、多重通信入出力端子２１１（あるいは車両情報端子２１０）を介して車両状態信号として、前記第１状態信号と前記自動運転解除信号とを受信する。
【００５３】
そして、この時刻Ｔ５において、制御手段２０２は、車両の利用者がステアリングを操作することにより（つまり前記自動運転解除信号に基づいて）、自動運転モードから手動運転モードに移行したと判断し、情報表示部２０４の表示レイアウトが図５に示すような第１の表示モードＭ１に戻るように情報表示部２０４の表示制御を行う。
【００５４】
以上のように本実施形態では、制御手段２０２は、車両の自動運転が開始したことを示す前記自動運転作動信号を検出すると、多重通信入出力端子２１１を介して自動運転関連情報を取得するとともに、情報表示部２０４に表示される表示情報を車両の自動運転と関連のない非自動運転関連情報（例えば指針式回転数表示部３１０等を含む所定情報Ｄ１）から自動運転関連情報（例えば作動状態情報３７０）へと置き換えるべく、情報表示部２０４の制御を行うものである。
【００５５】
従って、自動運転関連情報（前記自動運転作動信号）の車両用情報提供装置１０１（制御手段２０２）への入力の有無に応じて、情報表示部２０４の表示形態（表示レイアウト）が調整される構成となる。これにより車両の状態に配慮した運転支援が可能となり、ヒューマン・マシン・インターフェイスを向上させることが可能な車両用情報提供装置を提供することができる。また、前記自動運転作動信号の制御手段２０２への入力の有無に応じて情報表示部２０４の表示レイアウトが調整されることで、情報表示部２０４に表示される情報量が必要最小限なものとなり、自動運転関連情報を分かり易く提示することができるという利点もある。
【００５６】
（第２実施形態）次に、本発明の第２実施形態を図５、図６、図８、図９に基づいて説明するが、前述の第１実施形態と同一もしくは相当個所には同一の符号を用いてその詳細な説明は省略する。
【００５７】
この第２実施形態が、前記第１実施形態と異なる点は、前記誤操作情報が制御手段２０２へと入力されると、制御手段２０２は、車両の自動運転と関連のない非自動運転関連情報（所定情報Ｄ１）を情報表示部２０４に表示させるべく、情報表示部２０４の表示制御を行っている点にある。
【００５８】
以下、図５、図６、図８、図９を用いて、車両の自動運転に関連する自動運転関連情報や車両の自動運転と関連のない非自動運転関連情報を情報表示部２０４に表示させる際の制御手段２０２の処理動作について説明する。
【００５９】
制御手段２０２は、図８に示す時刻Ｓ１において、利用者が操作手段２１３（前記自動運転作動スイッチ）をオン操作したことにより操作手段２１３から出力される操作指示信号（前記自動運転作動信号）は何ら受信していないものとする。
【００６０】
すると、制御手段２０２による制御のもと、情報表示部２０４には上述した第１の表示モードＭ１（図５）に対応する表示情報が表示される。つまり、このとき、情報表示部２０４（表示領域Ｒ１）には上述した所定情報Ｄ１が表示される。
【００６１】
次に、制御手段２０２は、図８に示す時刻Ｓ２において、利用者が操作手段２１３（前記自動運転作動スイッチ）をオン操作したことにより操作手段２１３から出力される操作指示信号（前記自動運転開始信号）を受信する。この自動運転作動信号は、車内ＬＡＮ１０２を介して走行制御手段１０３へと伝送され、走行制御手段１０３による制御のもと、車両の自動運転制御が開始される。
【００６２】
自動運転制御が開始されると、制御手段２０２は、多重通信入出力端子２１１（あるいは車両情報端子２１０）を介して車両状態信号として、前記第１状態信号と走行制御手段１０３からの前記自動運転作動信号とを受信する。すると、制御手段２０２は、自動運転制御が停止している自動運転停止状態から自動運転制御が作動している自動運転作動状態へと変化することに伴い、前記第１実施形態と同様に前記表示領域分割処理を実行する。
【００６３】
そして、この表示領域分割処理（つまり前記第１実施形態における図６に示す第２の表示モードＭ２）の実行時において、情報表示部２０４の残余領域Ｒ３には作動状態情報３７０とナビゲーション情報３８０とが表示され、情報表示部２０４の小領域Ｒ２にはデジタル式車速表示部３０１とメッセージ表示４００とが表示される。
【００６４】
次に、制御手段２０２は、図８に示す時刻Ｓ３において、利用者が操作手段２１３を誤って誤操作したことにより操作手段２１３から出力される前記誤操作情報を受信する。
【００６５】
また、このとき、制御手段２０２は、多重通信入出力端子２１１（あるいは車両情報端子２１０）を介して車両状態信号として、前記第１状態信号と車両の自動運転制御が解除状態であることを示す前記誤操作情報としての自動運転解除信号とを受信する。
【００６６】
この利用者が操作手段２１３を誤操作したことにより操作手段２１３から出力される前記誤操作情報は、操作情報端子２１２並びに車両インターフェース手段２０１を通じて制御手段２０２へ入力される。そして、制御手段２０２が検出した前記誤操作情報は、車内ＬＡＮ１０２を介して走行制御手段１０３へも入力される。走行制御手段１０３は、この前記誤操作情報を入手すると、自動運転制御を解除する。
【００６７】
そして、時刻Ｓ３において、制御手段２０２は、前記第１状態信号と前記自動運転解除信号とを受信し、これら前記第１状態信号、前記自動運転解除信号に基づいて、図９に示すような第４の表示モードＭ４（自動運転（解除）モード）に対応する表示情報が情報表示部２０４に表示されるように情報表示部２０４の表示制御を行う。
【００６８】
この第４の表示モードＭ４の実行時において、制御手段２０２による制御のもと、情報表示部２０４には、手動運転画面として、指針式車速表示部３００と、指針式回転数表示部３１０と、指針式燃料残量表示部３２０と、シフトポジション表示部３３０と、方向指示表示部３４０とが表示される。これら５つの表示部３００〜３４０の表示位置は、第１の表示モードＭ１での表示部３００〜３４０の表示位置と同じ位置となっている。そして、情報表示部２０４の右下部分には、前記第１実施形態にて採用した車両の自動運転制御が解除したことを示す他のメッセージ表示４１０が表示される。
【００６９】
つまり、この第２実施形態の場合、制御手段２０２は、車両の自動運転が解除されたことを示す前記自動運転解除信号を検出すると、情報表示部２０４に表示されている自動運転関連情報（例えば作動状態情報３７０やナビゲーション情報３８０）を非自動運転関連情報（例えば指針式車速表示部３００や指針式回転数表示部３１０、指針式燃料残量表示部３２０、シフトポジション表示部３３０、方向指示表示部３４０）へと置き換えるべく、情報表示部２０４の制御を行うものである。このように構成することにより、情報表示部２０４の表示内容の変化が大きくなり、利用者は自動運転制御が解除されたことを容易（直感的）に理解することができるという利点がある。
【００７０】
次に、制御手段２０２は、図８に示す時刻Ｓ４において、利用者が操作手段２１３（前記自動運転作動スイッチ）を再度、オン操作したことにより操作手段２１３から出力される操作指示信号（前記自動運転作動信号）を受信する。この自動運転作動信号は、車内ＬＡＮ１０２を介して走行制御手段１０３へと伝送され、走行制御手段１０３による制御のもと、車両の自動運転制御が再度、開始される。
【００７１】
そして、このように自動運転制御が再度、開始されると、制御手段２０２は、多重通信入出力端子２１１（あるいは車両情報端子２１０）を介して車両状態信号として、前記第１状態信号と走行制御手段１０３からの前記自動運転作動信号とを受信する。
【００７２】
すると、制御手段２０２は、自動運転制御が解除中の状態から自動運転制御が作動している自動運転作動状態へと再度、変化することに伴い、前記表示領域分割処理を実行し、情報表示部２０４には上述した第２の表示モードＭ２（図６）のときと同じ情報が表示される。
【００７３】
つまり、このとき、情報表示部２０４の残余領域Ｒ３には作動状態情報３７０とナビゲーション情報３８０とが表示され、情報表示部２０４の小領域Ｒ２にはデジタル式車速表示部３０１とメッセージ表示４００とが表示される。
【００７４】
次に、制御手段２０２は、図８に示す時刻Ｓ５において、利用者がステアリングを操作したことを示すステアリング操作信号を受信している。また、このとき、制御手段２０２は、多重通信入出力端子２１１（あるいは車両情報端子２１０）を介して車両状態信号として、前記第１状態信号と前記自動運転解除信号とを受信する。
【００７５】
そして、この時刻Ｓ５において、制御手段２０２は、利用者がステアリングを操作することにより（つまり前記自動運転解除信号に基づいて）、自動運転モードから手動運転モードに移行したと判断し、情報表示部２０４の表示レイアウトが図５に示すような第１の表示モードＭ１に戻るように情報表示部２０４の表示制御を行う。
【００７６】
以上のように、この第２実施形態によれば、制御手段２０２は、車両の自動運転が開始したことを示す前記自動運転作動信号を検出すると、情報表示部２０４に表示される表示情報を車両の自動運転と関連のない非自動運転関連情報（例えば所定情報Ｄ１）から自動運転関連情報（例えば作動状態情報３７０）へと置き換えるべく、情報表示部２０４の制御を行うものである。
【００７７】
従って、自動運転関連情報（前記自動運転作動信号）の車両用情報提供装置１０１（制御手段２０２）への入力の有無に応じて、情報表示部２０４の表示形態（表示レイアウト）が調整されるため、車両の状態に配慮した運転支援が可能となり、前記第１実施形態と同様の作用効果を得ることができる。
【００７８】
なお、本発明は、上述の実施形態及び図面によって限定されるものではない。本発明の要旨を変更しない範囲で、適宜、実施形態及び図面に変更（構成要素の削除も含む）を加えることが可能である。
【００７９】
例えば、上述した実施形態では、制御手段２０２は、多重通信入出力端子２１１あるいは車両情報端子２１０を介して自動運転関連情報を取得しているが、複数種の自動運転関連情報を車両情報端子２１０と多重通信入出力端子２１１とを介して取得してもよい。
【産業上の利用可能性】
【００８０】
本発明は、各種情報を表示する情報表示部を備えた車両用情報提供装置に関し、車両用情報提供装置は、車両情報を表示する車両用メータ（車両用計器）のみならず、車両に搭載されるナビゲーション装置やマルチディスプレイ装置等にも適用可能である。
【符号の説明】
【００８１】
１０１  車両用情報提供装置
１０２  車内ＬＡＮ（伝送媒体）
１０３  走行制御手段
２０２  制御手段
２０４  情報表示部
２１０  車両情報端子（車両情報入力手段）
２１１  多重通信入出力端子（多重通信入出力手段）
２１３  操作手段
３７０  作動状態情報（自動運転関連情報）
３８０  ナビゲーション情報（自動運転関連情報）
３９０  他の作動状態情報（自動運転関連情報）
４００  メッセージ表示
４１０  他のメッセージ表示
Ｄ１  所定情報
Ｒ１  表示領域
Ｒ２  小領域
Ｒ３  残余領域
【図１】
2018192924.tif 000003
【図２】
2018192924.tif 000004
【図３】
2018192924.tif 000005
【図４】
2018192924.tif 000006
【図５】
2018192924.tif 000007
【図６】
2018192924.tif 000008
【図７】
2018192924.tif 000009
【図８】
2018192924.tif 000010
【図９】
2018192924.tif 000011